(57)【特許請求の範囲】
【請求項１】
温度調整された空気を取り入れる空気取入れ部（５１）と、
前記空気によって大気圧より大きな圧力が生じる圧力発生空間（ＰＳ）を構成する圧力発生空間構成部（５２ａ−５２ｉ）と、
を備え、
前記圧力発生空間構成部（５２ａ−５２ｉ）の少なくとも第１部（５４）は、前記圧力発生空間から空気が透過し所定の輻射率を有する織布によって形成される、
輻射パネル構造体（５ａ−５ｉ）。
【請求項２】
前記第１部（５４）は、０．６以上の輻射率を有する織布によって形成される、
請求項１に記載の輻射パネル構造体（５ａ−５ｉ）。
【請求項３】
前記圧力発生空間構成部（５２ａ−５２ｉ）は、平坦な外形を有する、
請求項１または２に記載の輻射パネル構造体（５ａ−５ｉ）。
【請求項４】
前記圧力発生空間構成部（５２ａ−５２ｉ）は、短横幅の１／５以下の厚みを有する、
請求項１から３のいずれかに記載の輻射パネル構造体（５ａ−５ｉ）。
【請求項５】
前記圧力発生空間構成部（５２ａ−５２ｉ）は、８０ｍｍ以下の厚みを有する、
請求項１から４のいずれかに記載の輻射パネル構造体（５ａ−５ｉ）。
【請求項６】
前記圧力発生空間構成部（５２ａ−５２ｉ）は、２ｍ2以上の平面を有する、
請求項１から５のいずれかに記載の輻射パネル構造体（５ａ−５ｉ）。
【請求項７】
前記圧力発生空間構成部（５２ａ，５２ｂ）は、前記第１部（５４）と対向する第２部（５５）を有し、
一端が前記第１部（５４）に固定され他端が前記第２部（５５）に固定され、前記圧力発生空間構成部（５２ａ，５２ｂ）の形状を保持する形状保持部材（５３ａ，５３ｂ）をさらに備える、
請求項１から６のいずれかに記載の輻射パネル構造体（５ａ，５ｂ）。
【請求項８】
間隔を隔てて配置される複数の前記形状保持部材（５３ａ,５３ｂ）を備える、
請求項７に記載の輻射パネル構造体（５ａ，５ｂ）。
【請求項９】
前記第１部（５４）は、繊維の目の粗さが部分ごとに異なる、
請求項１から８のいずれかに記載の輻射パネル構造体（５ｃ）。
【請求項１０】
前記第１部（５４）は、繊維の隙間を通過する空気に含まれる不要物を捕集可能である、
請求項１から９のいずれかに記載の輻射パネル構造体（５ａ）。
【請求項１１】
前記第１部（５４）は、繊維の間を通過する空気に含まれる不快物質を低減させる有効成分を含有する、
請求項１から１０のいずれかに記載の輻射パネル構造体（５ａ）。
【請求項１２】
空気の温度調整を行い温度調整された前記空気を吹き出す別体の対流型空気調和機（１００）に取り付けられる輻射パネル構造体（５ｄ）であって、
前記空気取入れ部（５１）は、前記対流型空気調和機（１００）に接続される、
請求項１から１１のいずれかに記載の輻射パネル構造体（５ｄ）。
【請求項１３】
前記圧力発生空間構成部（５２ｅ，５２ｆ）は柔軟な材料で構成されており、
前記圧力発生空間構成部（５２ｅ，５２ｆ）を変形させることにより、前記圧力発生空間構成部（５２ｅ，５２ｆ）の前記第１部（５４）の表面積を増減させる変形部（５７）をさらに備える、
請求項１から１２のいずれかに記載の輻射パネル構造体（５ｅ，５ｆ）。
【請求項１４】
請求項１から１３のいずれかに記載の輻射パネル構造体（５ａ−５ｉ）と、
前記空気の温度調整を行う温度調整部（２２）と、
温度調整された前記空気を前記空気取入れ部（５１）へと送る送風部（２３）と、
を備える空気調和機（１，１ｆ，１ｉ）。
【請求項１５】
請求項１３に記載の輻射パネル構造体（５ｅ，５ｆ）と、
前記空気の温度調整を行う温度調整部（２２）と、
温度調整された前記空気を前記空気取入れ部（５１）へと送る送風部（２３）と、
前記圧力発生空間構成部（５２ｅ，５２ｆ）を収納する収納部（２１ｆ）、
を備える空気調和機（１ｆ）。
【請求項１６】
前記送風部（２３）から前記空気取入れ部（５１）へと送られる空気が通る送風口（２７）をさらに備え、
前記空気取入れ部（５１）は、前記送風口（２７）に着脱自在に接続される、
請求項１４または１５に記載の空気調和機（１）。
【請求項１７】
前記第１部（５４）での結露の発生を抑える乾燥制御を行う第１制御部（６）をさらに備える、
請求項１４から１６のいずれかに記載の空気調和機（１）。
【請求項１８】
前記第１制御部（６）は、前記温度調整部（２２）の温度と前記送風部（２３）による送風とを制御して室内温度より高温の空気を前記圧力発生空間構成部（５２ａ）へと送ることによって前記乾燥制御を行う、
請求項１７に記載の空気調和機（１）。
【請求項１９】
前記空気が所定のゆらぎを伴って前記圧力発生空間構成部（５２ａ）へと送られるように前記送風部（２３）を制御する第２制御部（６）をさらに備える、
請求項１４から１６のいずれかに記載の空気調和機（１）。
【請求項２０】
前記所定のゆらぎは、１／ｆゆらぎである、
請求項１９に記載の空気調和機（１）。
【請求項２１】
前記所定のゆらぎは、前記第１部（５４）の固有値のゆらぎである、
請求項１９に記載の空気調和機（１）。
【請求項２２】
前記圧力発生空間（ＰＳ）へと前記空気を吹き出す第１吹出し口（６５ｉ）と、
室内（Ｒ）へと前記空気を吹き出す第２吹出し口（６６ｉ）と、
前記第１吹出し口（６５ｉ）からの前記空気の吹出しと前記第２吹出し口（６６ｉ）からの前記空気の吹出しとを切り換える切換手段（６３ｉ）と、
をさらに備える、
請求項１から１３のいずれかに記載の輻射パネル構造体（５ｉ）。
【請求項２３】
前記輻射パネル構造体へと前記空気を吹き出す第１吹出し口（６５ｉ）と、
室内（Ｒ）へと前記空気を吹き出す第２吹出し口（６６ｉ）と、
前記第１吹出し口（６５ｉ）からの前記空気の吹出しと前記第２吹出し口（６６ｉ）からの前記空気の吹出しとを切り換える切換手段（６３ｉ）と、
をさらに備える、
請求項１４から２１のいずれかに記載の空気調和機（１ｉ）。
【発明の詳細な説明】
【技術分野】
【０００１】
本発明は、輻射パネル構造体および空気調和機に関する。
【背景技術】
【０００２】
温度調整された空気を室内へと吹き出して室内の温度調整を行う対流型空気調和機がよく利用されている。この対流型空気調和機は、通常、室内へと吹き出される空気が通る吹出し口を備えている。この吹出し口は、例えば、空気調和機の室内機の長手方向に沿って室内機の正面下部に設けられた開口である。対流型空気調和機は、吹出し口から温度調整された空気を室内へと吹き出し、温度調整された空気の対流を室内に発生させる。これによって、温度調整された空気を室内の広範囲に到達させることができ、室内の温度調整を行うことができる（特許文献１参照）。
【特許文献１】特開２００１−４１４８８号公報
【発明の開示】
【発明が解決しようとする課題】
【０００３】
しかし、上記のような対流型空気調和機では、ドラフトが発生する恐れがある。すなわち、対流型空気調和機では、吹出し口から吹き出た空気の対流が、室内の居住者等に直接に接触し易い。このため、居住者等が不快感を感じる恐れがある。
本発明は、ドラフトによる不快感を低減することができる輻射パネル構造体および空気調和機を提供することを目的とする。
【課題を解決するための手段】
【０００４】
請求項１に記載の輻射パネル構造体は、空気取入れ部と圧力発生空間構成部とを備える。空気取入れ部は、温度調整された空気を取り入れる。圧力発生空間構成部は、空気によって大気圧より大きな圧力が生じる圧力発生空間を構成する。そして、圧力発生空間構成部の少なくとも第１部は、圧力発生空間から空気が透過し所定の輻射率を有する織布によって形成される。なお、第１部は、輻射による温度調整の観点からは輻射率が０．６以上であることが望ましい。
【０００５】
この輻射パネル構造体では、温度調整された空気により圧力発生空間の第１部の温度が調整される。そして、第１部は所定の輻射率を有する織布で形成されている。このため、この輻射パネル構造体は、圧力発生空間の空気の温度を利用した第１部からの輻射によって、室内の温度調整を行うことができる。また、圧力発生空間には温度調整された空気によって大気圧より大きな圧力が生じる。従って、第１部の織布の繊維の目の隙間から温度調整された空気が穏やかに室内へ吹き出される。このため、この輻射パネル構造体は、第１部から穏やかに吹き出される空気によって、室内の温度調整を行うことができる。
【０００６】
このように、この輻射パネル構造体では、輻射と穏やかな空気の吹出しとによって室内の温度調整を行うことができる。このため、この輻射パネル構造体では、ドラフトによる不快感を低減することができる。
請求項２に記載の輻射パネル構造体は、請求項１に記載の輻射パネル構造体であって、第１部は、０．６以上の輻射率を有する織布によって形成される。
【０００７】
この輻射パネル構造体では、第１部は、０．６以上の輻射率を有する織布によって形成されるため、輻射による室内の冷暖房を十分効果的に行うことができる。
請求項３に記載の輻射パネル構造体は、請求項１または２に記載の輻射パネル構造体であって、圧力発生空間構成部は、平坦な外形を有する。
一般に、輻射パネル構造体が室内に設置される場合、輻射パネル構造体の厚みが大きいと、室内の居住者等に圧迫感を与える恐れがある。また、輻射パネル構造体による空気調和の効果は、室内空間に接する部分の表面積が大きいほど高いため、輻射パネル構造体の室内空間に面する部分の表面積は大きい方が望ましい。
【０００８】
この輻射パネル構造体では、圧力発生空間構成部は、平坦な外形を有する。このため、室内への圧迫感を低減することができると共に、室内空間に接する表面積を比較的大きく確保することができる。
請求項４に記載の輻射パネル構造体は、請求項１から３のいずれかに記載の輻射パネル構造体であって、圧力発生空間構成部は、短横幅の１／５以下の厚みを有する。
【０００９】
この輻射パネル構造体では、圧力発生空間構成部は、短横幅の１／５以下の厚みを有するため、平坦な外形を有する。このため、室内への圧迫感を低減することができると共に、室内空間に接する表面積を比較的大きく確保することができる。
請求項５に記載の輻射パネル構造体は、請求項１から４のいずれかに記載の輻射パネル構造体であって、圧力発生空間構成部は、８０ｍｍ以下の厚みを有する。
【００１０】
この輻射パネル構造体では、圧力発生空間構成部は、８０ｍｍ以下の厚みを有する。圧力発生空間構成部の厚みが８０ｍｍ以下であれば、室内への圧迫感をより効果的に低減することができる。
請求項６に記載の輻射パネル構造体は、請求項１から５のいずれかに記載の輻射パネル構造体であって、圧力発生空間構成部は、２ｍ2以上の平面を有する。
【００１１】
この輻射パネル構造体では、圧力発生空間構成部は、２ｍ2以上の平面を有する。２ｍ2以上の平面であれば、輻射パネル構造体による空気調和をより効果的に行うことができる。例えば、２ｍ2以上の平面であれば、下方に配置される寝台を覆うのに必要な大きさが確保され、寝台で就寝する居住者等に対してより効果的な空気調和を行うことができる。
請求項７に記載の輻射パネル構造体は、請求項１から６のいずれかに記載の輻射パネル構造体であって、圧力発生空間構成部は、第１部と対向する第２部を有し、形状保持部材をさらに備える。形状保持部材は、一端が第１部に固定され他端が第２部に固定され、圧力発生空間構成部の形状を保持する。
【００１２】
織布は柔軟性を有するため、圧力発生空間に大気圧より大きな圧力が生じると、織布で形成された第１部と、第１部に対向する第２部とが膨らみ所定の形状が保持されない恐れがある。
この輻射パネル構造体では、第１部と第２部との距離が形状保持部材により維持される。このため、この輻射パネル構造体では、柔軟な第１部と第２部とが膨らむことを抑えて、その形状を保持することができる。
【００１３】
請求項８に記載の輻射パネル構造体は、請求項７に記載の輻射パネル構造体であって、間隔を隔てて配置される複数の形状保持部材を備える。
この輻射パネル構造体では、間隔を隔てて配置される複数の形状保持部材が備えられる。このため、複数の形状保持部材を所定の間隔で配置することによって、圧力で膨らもうとする第１部を任意の形状に保持することができる。
【００１４】
請求項９に記載の輻射パネル構造体は、請求項１から８のいずれかに記載の輻射パネル構造体であって、第１部は、繊維の目の粗さが部分ごとに異なる。
この輻射パネル構造体では、第１部の繊維の目の粗さが部分ごとに異なるため、繊維の隙間から吹き出る空気の風速が部分によって異なる。従って、吹き出る空気の風速の違いによって、部分ごとに異なる反力が生じる。また、第１部は、柔軟性を有するため、吹出しの反力によって変形する。このため、この輻射パネル構造体では、第１部の部分ごとに異なる変形を生じさせて、第１部の表面に凹凸の模様を表すことができる。これにより、輻射パネル構造体の美観を向上させることができる。
【００１５】
請求項１０に記載の輻射パネル構造体は、請求項１から９のいずれかに記載の輻射パネル構造体であって、第１部は、繊維の隙間を通過する空気に含まれる不要物を捕集可能である。
この輻射パネル構造体では、粉塵、ウィルス、花粉等の不要物を繊維の目で捕集することができる。従って、不要物が低減された空気を第１部から室内へと吹き出すことができる。このため、この輻射パネル構造体では、室内の空気を清浄に保つことができる。
【００１６】
請求項１１に記載の輻射パネル構造体は、請求項１から１０のいずれかに記載の輻射パネル構造体であって、第１部は、繊維の間を通過する空気に含まれる不快物質を低減させる有効成分を含有する。
この輻射パネル構造体では、第１部が有する有効成分によって繊維の間を通過する空気に含まれる不快物質を低減することができる。例えば、第１部に脱臭剤や殺菌剤を添加することによって、室内へと送られる空気の脱臭や殺菌を行うことができる。このため、不快物質が低減された空気を第１部から室内へと吹き出すことができる。これにより、この輻射パネル構造体では、室内の居住者等の快適感を向上させることができる。
【００１７】
請求項１２に記載の輻射パネル構造体は、請求項１から１１のいずれかに記載の輻射パネル構造体であって、別体の対流型空気調和機に取り付けられる輻射パネル構造体である。対流型空気調和機は、空気の温度調整を行い、温度調整された空気を吹き出す。そして、空気取入れ部は、対流型空気調和機に接続される。
この輻射パネル構造体では、空気取入れ部を別体の対流型空気調和機に接続することができる。このため、この輻射パネル構造体は、既存の対流型空気調和機に取り付けられることができる。従って、この輻射パネル構造体では、既存の対流型空気調和機を有効利用することができる。
【００１８】
請求項１３に記載の輻射パネル構造体は、請求項１から１２のいずれかに記載の輻射パネル構造体であって、圧力発生空間構成部は柔軟な材料で構成されており、変形部をさらに備える。変形部は、圧力発生空間構成部を変形させることにより、圧力発生空間構成部の第１部の表面積を増減させる。
この輻射パネル構造体では、変形部によって第１部の表面積を増減させることができる。このため、この輻射パネル構造体では、第１部の表面積を増減させることによって第１部からの輻射を調整することができる。
【００１９】
請求項１４に記載の空気調和機は、請求項１から１３のいずれかに記載の輻射パネル構造体と温度調整部と送風部とを備える。温度調整部は、空気の温度調整を行う。送風部は、温度調整された空気を空気取入れ部へと送る。
この空気調和機では、温度調整部によって空気の温度調整が行われ、温度調整された空気が送風部によって空気取入れ部へと送られる。そして、圧力発生空間の空気の温度を利用した第１部からの輻射によって室内の温度調整が行われる。また、圧力発生空間の空気が第１部の複数の孔や繊維の隙間から室内へと穏やかに吹き出される。このように、この空気調和機は、輻射と穏やかな空気の吹出しとによって室内の温度調整を行うことができる。このため、この空気調和機では、ドラフトによる不快感を低減することができる。
【００２０】
請求項１５に記載の空気調和機は、請求項１３に記載の輻射パネル構造体と温度調整部と、送風部と、収納部とを備える。温度調整部は、空気の温度調整を行う。送風部は、温度調整された空気を空気取入れ部へと送る。収納部は、圧力発生空間構成部を収納する。
この空気調和機では、圧力発生空間構成部を収納部に収納することができる。このため、輻射による室内の温度調整や穏やかな空気の吹出しによる温度調整が行われない場合などには、圧力発生空間構成部を収納部に収納することによって、圧力発生空間構成部が居住者等の邪魔になる恐れを低減することができる。
【００２１】
請求項１６に記載の空気調和機は、請求項１４または１５に記載の空気調和機であって、送風口をさらに備える。送風口は、送風部から空気取入れ部へと送られる空気が通る部分である。そして、空気取入れ部は、送風口に着脱自在に接続される。
この空気調和機では、空気取入れ部と送風口とが着脱自在に接続される。このため、輻射パネル構造体の取外しや取付を容易に行うことができる。このため、初期取付工事や、輻射パネル構造体の洗浄や取替え等のメンテナンス等を容易に行うことができる。
【００２２】
請求項１７に記載の空気調和機は、請求項１４から１６のいずれかに記載の空気調和機であって、第１制御部をさらに備える。第１制御部は、第１部での結露の発生を抑える乾燥制御を行う。
この空気調和機では、第１制御部が、第１部での結露の発生を抑える乾燥制御を行う。このため、この空気調和機では、第１部での結露の発生を抑えることができる。
【００２３】
請求項１８に記載の空気調和機は、請求項１７に記載の空気調和機であって、第１制御部は、温度調整部の温度と送風部による送風とを制御して室内温度より高温の空気を圧力発生空間構成部へと送ることによって乾燥制御を行う。
この空気調和機では、室内温度より高温の空気を圧力発生空間構成部へと送ることによって、第１部での結露を生じ難くすることができる。これにより、この空気調和機では、第１部での結露の発生を抑えることができる。
【００２４】
請求項１９に記載の空気調和機は、請求項１４から１６のいずれかに記載の空気調和機であって、第２制御部をさらに備える。第２制御部は、空気が所定のゆらぎを伴って圧力発生空間構成部へと送られるように送風部を制御する。
この空気調和機では、第２制御部が送風部を制御することによって、所定のゆらぎを伴う空気を圧力発生空間構成部へと送ることができる。また、第１部は織布で形成されているため、柔軟性を有する。このため、所定のゆらぎを伴う空気によって第１部をゆらがせることができる。これにより、この空気調和機では、第１部のゆらぎと、吹き出る空気のゆらぎとによって、室内の居住者等の快適感を向上させることができる。
【００２５】
請求項２０に記載の空気調和機は、請求項１９に記載の空気調和機であって、所定のゆらぎは、１／ｆゆらぎである。
この空気調和機では、第１部を１／ｆのリズムでゆらがせることができる。これにより、この空気調和機では、室内の居住者等に１／ｆのリズムによる自然の感覚を与え、居住者等の快適感を向上させることができる。
【００２６】
請求項２１に記載の空気調和機は、請求項１９に記載の空気調和機であって、所定のゆらぎは、第１部の固有値のゆらぎである。
この空気調和機では、第１部の固有値のゆらぎを伴う空気を圧力発生空間構成部へと送ることにより、第１部をゆらがせることができる。このため、居住者等に視覚的な変化を与えることができる。これにより、この空気調和機では、室内の居住者等の快適感を向上させることができる。
【００２７】
請求項２２に記載の輻射パネル構造体は、請求項１から１３のいずれかに記載の輻射パネル構造体であって、第１吹出し口と、第２吹出し口と、切換手段とをさらに備える。第１吹出し口は、圧力発生空間へと空気を吹き出す。第２吹出し口は、室内へと空気を吹き出す。切換手段は、第１吹出し口からの空気の吹出しと第２吹出し口からの空気の吹出しとを切り換える。
【００２８】
この輻射パネル構造体では、第１吹出し口からの空気の吹出しと第２吹出し口からの空気の吹出しとを切り換えることによって、第１部からの輻射と穏やかな吹出しによる空気調和と、第２吹出し口からの直接吹出しによる空気調和とを切り換えることができる。これにより、必要に応じて室内の適切な空気調和を行うことができる。例えば、空気調和の開始直後の様に、短時間で空気調和を行う必要のある場合には、第２吹出し口からの直接吹出しによる空気調和を行うことによって、短時間に空気調和を行うことができる。そして、ある程度空気調和が行われてから、第１部からの輻射と穏やかな吹出しによる空気調和に切り換えることによって、ドラフトの少ない快適な空気調和を行うことができる。
【００２９】
請求項２３に記載の空気調和機は、請求項１４から２１のいずれかに記載の空気調和機であって、第１吹出し口と、第２吹出し口と、切換手段とをさらに備える。第１吹出し口は、輻射パネル構造体へと空気を吹き出す。第２吹出し口は、室内へと空気を吹き出す。切換手段は、第１吹出し口からの空気の吹出しと第２吹出し口からの空気の吹出しとを切り換える。
【００３０】
この空気調和機では、第１吹出し口からの空気の吹出しと第２吹出し口からの空気の吹出しとを切り換えることによって、第１部からの輻射と穏やかな吹出しによる空気調和と、第２吹出し口からの直接吹出しによる空気調和とを切り換えることができる。これにより、必要に応じて室内の適切な空気調和を行うことができる。例えば、空気調和の開始直後の様に、短時間で空気調和を行う必要のある場合には、第２吹出し口からの直接吹出しによる空気調和を行うことによって、短時間に空気調和を行うことができる。そして、ある程度空気調和が行われてから、第１部からの輻射と穏やかな吹出しによる空気調和に切り換えることによって、ドラフトの少ない快適な空気調和を行うことができる。
【発明の効果】
【００３１】
請求項１に記載の輻射パネル構造体では、輻射と穏やかな空気の吹出しとによって室内の温度調整を行うことができる。このため、この輻射パネル構造体では、ドラフトによる不快感を低減することができる。
請求項２に記載の輻射パネル構造体では、第１部は、０．６以上の輻射率を有する織布によって形成されるため、輻射による室内の冷暖房を十分効果的に行うことができる。
【００３２】
請求項３に記載の輻射パネル構造体では、圧力発生空間構成部は、平坦な外形を有する。このため、室内への圧迫感を低減することができると共に、室内空間に接する表面積を比較的大きく確保することができる。
請求項４に記載の輻射パネル構造体では、圧力発生空間構成部は、短横幅の１／５以下の厚みを有するため、平坦な外形を有する。このため、室内への圧迫感を低減することができると共に、室内空間に接する表面積を比較的大きく確保することができる。
【００３３】
請求項５に記載の輻射パネル構造体では、圧力発生空間構成部は、８０ｍｍ以下の厚みを有する。圧力発生空間構成部の厚みが８０ｍｍ以下であれば、室内への圧迫感をより効果的に低減することができる。
請求項６に記載の輻射パネル構造体では、圧力発生空間構成部は、２ｍ2以上の平面を有する。２ｍ2以上の平面であれば、輻射パネル構造体による空気調和をより効果的に行うことができる。
【００３４】
請求項７に記載の輻射パネル構造体では、第１部と第２部との距離が形状保持部材により維持される。このため、この輻射パネル構造体では、柔軟な第１部と第２部とが膨らむことを抑えて、その形状を保持することができる。
請求項８に記載の輻射パネル構造体では、間隔を隔てて配置される複数の形状保持部材が備えられる。このため、複数の形状保持部材を所定の間隔で配置することによって、圧力で膨らもうとする第１部を任意の形状に保持することができる。
【００３５】
請求項９に記載の輻射パネル構造体では、第１部の部分ごとに異なる変形を生じさせて、第１部の表面に凹凸の模様を表すことができる。これにより、輻射パネル構造体の美観を向上させることができる。
請求項１０に記載の輻射パネル構造体では、不要物が低減された空気を第１部から室内へと吹き出すことができる。このため、この輻射パネル構造体では、室内の空気を清浄に保つことができる。
【００３６】
請求項１１に記載の輻射パネル構造体では、不快物質が低減された空気を第１部から室内へと吹き出すことができる。これにより、この輻射パネル構造体では、室内の居住者等の快適感を向上させることができる。
請求項１２に記載の輻射パネル構造体は、既存の対流型空気調和機に取り付けられることができる。従って、この輻射パネル構造体では、既存の対流型空気調和機を有効利用することができる。
【００３７】
請求項１３に記載の輻射パネル構造体では、第１部の表面積を増減させることによって第１部からの輻射を調整することができる。
請求項１４に記載の空気調和機は、輻射と穏やかな空気の吹出しとによって室内の温度調整を行うことができる。このため、この空気調和機では、ドラフトによる不快感を低減することができる。
【００３８】
請求項１５に記載の空気調和機では、圧力発生空間構成部を収納部に収納することができる。このため、輻射による室内の温度調整や穏やかな空気の吹出しによる温度調整が行われない場合などには、圧力発生空間構成部を収納部に収納することによって、圧力発生空間構成部が居住者等の邪魔になる恐れを低減することができる。
請求項１６に記載の空気調和機では、空気取入れ部と送風口とが着脱自在に接続される。このため、輻射パネル構造体の取外しや取付を容易に行うことができる。このため、初期取付工事や、輻射パネル構造体の洗浄や取替え等のメンテナンス等を容易に行うことができる。
【００３９】
請求項１７に記載の空気調和機では、第１制御部が、第１部での結露の発生を抑える乾燥制御を行う。このため、この空気調和機では、第１部での結露の発生を抑えることができる。
請求項１８に記載の空気調和機では、室内温度より高温の空気を圧力発生空間構成部へと送ることによって、第１部での結露を生じ難くすることができる。これにより、この空気調和機では、第１部での結露の発生を抑えることができる。
【００４０】
請求項１９に記載の空気調和機では、第１部のゆらぎと、吹き出る空気のゆらぎとによって、室内の居住者等の快適感を向上させることができる。
請求項２０に記載の空気調和機では、室内の居住者等に１／ｆのリズムによる自然の感覚を与え、居住者等の快適感を向上させることができる。
請求項２１に記載の空気調和機では、第１部の固有値のゆらぎを伴う空気を圧力発生空間構成部へと送ることにより、第１部をゆらがせることができる。このため、居住者等に視覚的な変化を与えることができる。これにより、この空気調和機では、室内の居住者等の快適感を向上させることができる。
【００４１】
請求項２２に記載の輻射パネル構造体では、第１吹出し口からの空気の吹出しと第２吹出し口からの空気の吹出しとを切り換えることによって、第１部からの輻射と穏やかな吹出しによる空気調和と、第２吹出し口からの直接吹出しによる空気調和とを切り換えることができる。これにより、必要に応じて室内の適切な空気調和を行うことができる。
請求項２３に記載の空気調和機では、第１吹出し口からの空気の吹出しと第２吹出し口からの空気の吹出しとを切り換えることによって、第１部からの輻射と穏やかな吹出しによる空気調和と、第２吹出し口からの直接吹出しによる空気調和とを切り換えることができる。これにより、必要に応じて室内の適切な空気調和を行うことができる。
【発明を実施するための最良の形態】
【００４２】
＜第１実施形態＞
［全体構成］
本発明の第１実施形態にかかる空気調和機１を図１に示す。この空気調和機１は、室内機２ａと室外機３とを備えており、輻射と、温度調整された空気の吹き出しとによって冷暖房等の室内の空気調和を行うことができる。なお、図１では、理解の容易のため、空気調和機１の一部が断面図として示されている。
【００４３】
室外機３は、室外に配置され、圧縮機３１、四路切換弁３２、電動弁３３、室外ファン（図示せず）、室外ファンモータ３４、室外機温度センサ３５（以上、図４参照）、室外熱交換器（図示せず）等を備えている。
圧縮機３１、電動弁３３、四路切換弁３２、室外熱交換器等は、後述する室内熱交換器と共に冷媒回路を構成している。室外ファンは、室外ファンモータ３４によって回転駆動され、室外熱交換器を通る空気の流れを生成する。室外機温度センサ３５には、室外熱交換器の温度や室外空気の温度を検出する各種の温度センサが含まれる。
【００４４】
室内機２ａは、室内の天井面近傍や側壁等に配置され、室内機ケーシング２１、室内熱交換器２２（温度調整部）、室内ファン２３（送風部）、室内ファンモータ２４（図４参照）、室内機温度センサ２５（図４参照）、輻射パネル構造体５ａなどを備えている。
室内機ケーシング２１は、室内熱交換器２２や室内ファン２３等を内部に収納しており、吸込み口２６と接続口２７（送風口）とを備えている。吸込み口２６は、室内から室内機ケーシング２１内へと取り入れられる空気が通る開口である。接続口２７は、室内機ケーシング２１内で室内熱交換器２２を通って輻射パネル構造体５ａへと送られる空気が通る開口であり、後述する輻射パネル構造体５ａの空気取入れ口５１に接続される。
【００４５】
室内熱交換器２２は、室外熱交換器や圧縮機３１等と冷媒配管４を介して接続されている。室内熱交換器２２は、通過する空気との間で熱交換を行うことによって、空気の温度調整を行う。
室内ファン２３は、室内ファンモータ２４によって回転駆動され、室内から取り込まれ輻射パネル構造体５ａへと送られる空気流を生成する。この空気流は、吸込み口２６から室内機ケーシング２１の内部に取り込まれ、室内熱交換器２２、接続口２７および空気取入れ口５１を通って輻射パネル構造体５ａの内部へと到る空気の流れである。
【００４６】
室内機温度センサ２５には、室内熱交換器の温度や室内空気の温度等を検出する各種の温度センサが含まれる。
輻射パネル構造体５ａは、天井面の近傍に配置され、温度調整された空気の温度を利用した輻射と、温度調整された空気の吹出しとによって冷暖房等の空気調和を行う。輻射パネル構造体５ａの構成については、後に詳細に説明する。
【００４７】
また、空気調和機１は、制御部６（第１制御部、第２制御部）を備えている。制御部６は、室外機３と室内機２ａとに分かれて配置されており、空気調和機１の運転制御を行う。制御部６は、図４に示すように、圧縮機３１、四路切換弁３２、電動弁３３、室外ファンモータ３４、室外機温度センサ３５、室内ファンモータ２４、室外機温度センサ２５などの構成部品と接続されている。制御部６は、リモコン７から運転指令を受けると、各構成部品を制御して空気調和機１の運転制御を行う。
【００４８】
［輻射パネル構造体の構成］
図２に輻射パネル構造体５ａの外観図を示す。
輻射パネル構造体５ａは、薄い板状の外形を有しており、平面的な形状となっている。また、輻射パネル構造体５ａは、天井面の近傍に天井面に平行に配置される。このため、輻射パネル構造体５ａは、下方の居住空間に対して他の方向よりも大きな投影面積を有している。輻射パネル構造体５ａは、空気取入れ口５１、輻射部５２ａ（圧力発生空間構成部）および複数の形状保持部材５３ａ等を備えている。
【００４９】
空気取入れ口５１は、温度調整された空気を取り入れる部分であり、輻射パネル構造体５ａの側面の一つに設けられた開口である。空気取入れ口５１は、室内機ケーシング２１の接続口２７に脱着自在に接続され、室内ファン２３によって送られる空気（白抜き矢印Ａ１参照）が通過する。
輻射部５２ａは、第１輻射面５４（第１部）、第２輻射面５５（第２部）および３つの側面５６からなり、空気によって大気圧より大きな圧力が生じる圧力発生空間ＰＳを内部に構成する。
【００５０】
第１輻射面５４は、四角形の薄いシート状の形状を有しており、圧力発生空間ＰＳの下方を閉じる。第１輻射面５４は、室内の居住空間に面する位置に天井面と平行に配置されている。また、第１輻射面５４は、約０．９の輻射率を有する織布によって形成されている。
第２輻射面５５は、第１輻射面５４と同一の形状であり、圧力発生空間ＰＳの上方を閉じる。第２輻射面５５は、第１輻射面５４と対向しており、天井面に面する位置に配置されている。すなわち、第２輻射面５５は、第１輻射面５４と天井面との間に配置されている。また、第２輻射面５５は、第１輻射面５４と同じ織布で形成されている。
【００５１】
３つの側面５６は、細長い長方形の形状を有しており、空気取入れ口５１を除く圧力発生空間ＰＳの側方を閉じる。３つの側面５６は、第１輻射面５４の３つの辺と第２輻射面５５の３つの辺とをそれぞれ繋いでいる。また、３つの側面５６は、第１輻射面５４および第２輻射面５５と同じ織布で形成されている。
このように、輻射パネル構造体５ａは、空気取入れ口５１以外が閉じられた袋状の形状を有している。
【００５２】
複数の形状保持部材５３ａは、間隔を隔てて配置される糸状の部材である。複数の形状保持部材５３ａは、それぞれ同じ長さを有しており、一端が第１輻射面５４に固定され他端が第２輻射面５５に固定される。複数の形状保持部材５３ａは、第１輻射面５４と第２輻射面５５の各平面上に略均一に配置されている。形状保持部材５３ａは、圧力発生空間ＰＳに大気圧より大きな圧力が生じた場合に、第１輻射面５４と第２輻射面５５とを平坦な形状に保持し、輻射部５２ａを板状の形状に保持する。なお、図２では、形状保持部材５３ａの一つにのみ符号を付して他の形状保持部材５３ａについては符号を省略している。
【００５３】
［空気調和機の運転動作］
次に、この空気調和機１によって室内の空気調和を行う場合の運転動作について説明する。
冷房運転時には、室内熱交換器２２が、蒸発器として機能して、通過する空気から熱を奪う。室内ファン２３によって吸込み口２６から室内機ケーシング２１内に取り込まれた室内の空気は、室内熱交換器２２を通過する際に熱を奪われて冷却される。
【００５４】
この冷却された空気は、図３に示すように、接続口２７および空気取入れ口５１を通って、輻射部５２ａ内の圧力発生空間ＰＳへと送られる。空気が圧力発生空間ＰＳに送られると、大気圧より大きな正の静圧が圧力発生空間ＰＳに生じる。すなわち、天井面に平行に流れる空気の流れ（実線矢印Ａ２参照）に対して垂直な方向に大気圧より大きな圧力が生じる。このため、冷却された空気が、輻射部５２ａの織布の繊維の隙間から押し出され、室内へと穏やかに吹き出される（実線矢印Ａ３参照）。
【００５５】
また、輻射部５２ａが冷却された空気と接触することによって、輻射部５２ａが冷却される。このため、輻射部５２ａによる冷輻射が生じる（破線矢印Ａ４参照）。
このように、この空気調和機１では、輻射部５２ａの繊維の隙間からの穏やかな吹き出しと、輻射部５２ａの冷輻射とによって、室内の冷房が行われる。
暖房運転時には、室内熱交換器２２が凝縮器として機能して、通過する空気を加熱する。加熱された空気は、冷房運転時と同様に、輻射部５２ａ内の圧力発生空間ＰＳへと送られる。そして、加熱された空気が、織布の繊維の隙間から押し出され、室内へと穏やかに吹き出される。また、輻射部５２ａが加熱された空気と接触することによって、輻射部５２ａが加熱される。そして、輻射部５２ａによる熱輻射が生じる。このように、この空気調和機１では、輻射部５２ａの繊維の隙間からの穏やかな吹出しと、輻射部５２ａの熱輻射とによって、室内の暖房が行われる。
【００５６】
［特徴］
〔１〕
温度調整された空気を直接室内へと吹き出す対流型空気調和機の場合、吹き出された空気が居住者等に直接当たる、いわゆるドラフトが生じやすい。このようなドラフトが生じると、居住者等は不快感を感じることが多い。また、空気の吹出しによって室内の温度調整が行われても、ドラフトによって居住者等の体感温度を悪化させてしまう恐れがある。
【００５７】
この空気調和機１では、上記のように、輻射と穏やかな空気の吹出しとによって室内の冷暖房を行うことができる。このため、ドラフトによる不快感を解消することができる。
〔２〕
従来よく利用されている対流型空気調和機の場合、室内の場所ごとに大きな温度差が生じる恐れがある。すなわち、吹き出される空気がよく届く場所と吹き出される空気が届き難い場所とで、温度差が生じ易い。もし、場所によって大きな温度差が生じると、場所による快不快の差が激しくなる。また、室内の高さ方向で大きな温度差が生じる恐れもある。
【００５８】
この空気調和機１では、第１輻射面５４の表面積を大きくすることにより、天井面近傍から室内の居住空間の広い範囲へ向けて、輻射と穏やかな空気の吹出しとを行うことができる。このため、室内全体を略均一に暖めまたは冷却することができる。これにより、室内の場所によって不快な温度差が生じることを防止することができる。従って、この空気調和機１では、居住者等の不快感を解消することができる。また、複数の居住者等が室内にいる場合であっても、多くの居住者等にとって快適な温度環境を発生させることができる。
【００５９】
逆に、第１輻射面５４の表面積を変えることにより、部分的に室内の温度環境を変えることも可能である。そして、居住者等が希望する室内の温度環境を発生させることにより、居住者等の快適感をさらに向上させることができる。
なお、輻射パネル構造体５ａは、天井面近傍に配置され薄い板状の形状を有している。このため、居住空間に面する第１輻射面５４の表面積を比較的大きくしても、居住者等の邪魔になる恐れは少ない。
【００６０】
〔３〕
この空気調和機１では、輻射による冷暖房と吹出しによる冷暖房の両方が行われる。このため、吹出しのみによって室内の冷暖房が行われる場合と比べて、吹出しによる対流能力を低減することができる。
〔４〕
この空気調和機１では、輻射部５２ａが織布によって形成されているが、この織布は約０．９の輻射率を有する。このため、織布であっても輻射による室内の冷暖房を十分効果的に行うことができる。
【００６１】
また、織布の繊維の隙間から吹き出る空気によって、第１輻射面５４の外側まで、輻射部５２ａの内部の温度と同じ温度となっている。このため、輻射による室内の冷暖房を効率的に行うことができる。
〔５〕
織布は柔軟性を有するため、圧力発生空間ＰＳに大気圧より大きな圧力が生じると、織布で形成された輻射部５２ａが膨らみ、円筒形状に近づき易い。この場合、上記の様な輻射部５２ａの平坦な形状が保持されない恐れがある。
【００６２】
しかし、この空気調和機１の輻射パネル構造体５ａでは、第１輻射面５４と第２輻射面５５との距離が形状保持部材５３ａにより維持される。このため、柔軟な第１輻射面５４と第２輻射面５５とが膨らむことを抑えて、平坦な形状を保持することができる。
また、この空気調和機１の輻射パネル構造体５ａでは、複数の形状保持部材５３ａが第１輻射面５４と第２輻射面５５との平面状に略均一に設けられている。このため、輻射部５２ａの平坦な形状をより精度よく保持することができる。
【００６３】
なお、上記の形状保持部材５３ｂは糸状の部材であるが、帯状の部材であっても剛性を有する棒状の部材であってもよく、輻射部５２ａの形状を保持する効果を奏することができる。ただし、輻射パネル構造体５ａが織布の柔軟性に基づく効果を奏するためには、形状保持部材５３ｂは、糸状の柔軟な材料で形成されることが望ましい。
〔６〕
この空気調和機１では、輻射パネル構造体５ａは、室内機ケーシング２１の接続口２７に脱着自在に取り付けられる。このため、輻射パネル構造体５ａを室内機ケーシング２１から取り外すことや、再び取り付けることが容易である。従って、輻射パネル構造体５ａの取付工事やメンテナンスが容易である。
【００６４】
また、輻射部５２ａは織布で形成されている。このため、輻射部５２ａに汚れが付着した場合に、輻射パネル構造体５ａを取り外して洗浄することができる。
＜第２実施形態＞
［構成］
本発明の第２実施形態にかかる輻射パネル構造体５ｂの側面図を図５（ｂ）に示す。
【００６５】
この輻射パネル構造体５ｂは、第１実施形態にかかる輻射パネル構造体５ａと同様に複数の形状保持部材５３ｂを有している。第１実施形態においては、複数の形状保持部材５３ａは、同じ長さを有している。このため、図５（ａ）に示すように、第１輻射面５４と第２輻射面５５とが略平行になり、輻射部５２ａが平坦な形状に保持されている。しかし、第２実施形態にかかる輻射パネル構造体５ｂでは、複数の形状保持部材５３ｂは、それぞれ同じ長さを有するものではなく、輻射部５２ｂが任意の形状となるように異なる長さを有している。つまり、図５（ｂ）に示すように、側面視において、中央に近い位置ほど形状保持部材５３ｂの長さが長くなっており、その長さは、側端から中央へと進むにつれて、一次関数的に増大している。このため、圧力発生空間ＰＳに空気が取り込まれると、第１輻射面５４は、中央に近い位置ほど下方へと膨らむ。そして、第１輻射面５４には、中央を挟んで２つの斜面５４０，５４１が形成される。この２つの斜面は、第１輻射面５４の中央で繋がっており、それぞれ第１輻射面５４の中央へ向けて下方へと傾斜している。なお、図５では、形状保持部材５３ｂの一つにのみ符号を付して他の形状保持部材５３ｂについては符号を省略している。
【００６６】
また、図５（ｃ）に示すように、側面視において、第１輻射面５４に、下に凸に滑らかに湾曲する曲面が形成されてもよい。この曲面は、第１輻射面５４の中央が下方へと膨らむように湾曲している。
他の構成については第１実施形態にかかる空気調和機１と同様である。
［特徴］
図５（ａ）のように輻射部５２ａが平坦に形成される場合、第１輻射面５４の下方にいる居住者等の位置によって輻射量に違いが生じる。すなわち、居住者等が第１輻射面５４の中央にいる場合と端にいる場合とでは、輻射量に影響を与える形態係数が異なる。このため、居住者等が第１輻射面５４の中央の下方にいる場合と端の下方にいる場合とでは、居住者等が受ける輻射量に違いが生じる。具体的には、中央近傍が最も輻射量が多く、端に近い位置ほど輻射量が少ない。
【００６７】
しかし、本実施形態にかかる輻射パネル構造体５ｂでは、複数の形状保持部材５３ｂによって輻射部５２ｂを上記の様な形状に保持することによって、輻射の方向を変えることができる（実線矢印Ａ５，Ａ６参照）。従って、輻射部５２ｂの形態係数を室内の任意の場所に対して略等しくすることができる。これにより、居住者が第１輻射面５４の中央にいる場合と端にいる場合とでも、輻射量を略同じにすることができる。従って、この輻射パネル構造体５ｂでは、複数の形状保持部材５３ｂによって、より均一な室内の温度調整を行うことができる。
【００６８】
なお、図５（ｄ）に示すように、第１輻射面５４が傾斜するような形状に輻射部５２ｂを保持してもよい。この輻射パネル構造体では、側面視において左側に位置する形状保持部材ほど長くなっており、右側から左側へと進むごとに形状保持部材の長さが一次関数的に増大している。このため、第１輻射面５４は左側が下方へと下がるように傾斜している。
【００６９】
この輻射パネル構造体では、輻射部５２ｂの下方の室内空間のうち右側の空間に対して略均一な輻射量を与える。従って、例えば、室内空間の右側の空間が主たる居住域となっている場合には、居住者等の周囲の空間により均一な温度環境を作ることができる。これにより、居住者等の快適感をさらに増大させることができる。
また、上記の形状保持部材５３ｂの長さや間隔を変更することにより、第１輻射面５４の傾斜角度や湾曲率をさらに詳細に調整することができる。従って、第１輻射面５４を温度調整の必要な方向へと向くような形状にすることができる。このため、室内の広さや居住者等の位置に合わせた適切な方向へと、輻射や吹出しを行うことができる。このように、この輻射パネル構造体５ｂでは、輻射部５２ｂの形状を快適な温度環境が作り出されるような任意の形状に保持することができる。
【００７０】
さらに、輻射量の調整ではなくデザイン的な観点から輻射部５２ｂの形状が決定されてもよい。すなわち、形状保持部材５３ｂの長さの調整により、居住者等の美感を刺激するデザイン的な形状が輻射部５２ｂに表されてもよい。
＜第３実施形態＞
［構成］
本発明の第３実施形態にかかる輻射パネル構造体５ｃでは、第１輻射面５４と第２輻射面５５との繊維の目の粗さが部分ごとに異なる。具体的には、第１輻射面５４に、繊維の目の細かい部分と繊維の目の粗い部分とが交互に複数配置されている（図６参照）。また、第２輻射面５５の繊維の目の粗さも、第１輻射面５４と同様に部分ごとに異なる。
【００７１】
他の構成については第１実施形態にかかる空気調和機１と同様である。
［特徴］
空気が輻射部５２ｃに送り込まれた状態の輻射パネル構造体５ｃの側面図を図６に示す。
この輻射パネル構造体５ｃでは、第１輻射面５４と第２輻射面５５との繊維の目の粗さが部分ごとに異なるため、繊維の隙間から吹き出る空気の風速が部分によって異なる（実線矢印Ａ７，Ａ８参照）。このため、吹き出る空気の風速の違いによる反力が部分によって異なる。そして、この反力の違いにより、第１輻射面５４と第２輻射面５５との沈み方を部分によって変えることができる。このようにして、第１輻射面５４と第２輻射面５５との表面に凹凸の模様が表される。これにより、居住者等に視覚的な刺激を与え、輻射パネル構造体５ｃの美観を向上させることができる。
【００７２】
＜第４実施形態＞
［構成］
本発明の第４実施形態にかかる輻射パネル構造体は、第１実施形態にかかる輻射パネル構造体５ａにおいて、輻射部５２ａは、織布の繊維の隙間を通過する空気に含まれる粉塵、ウィルス、花粉等の不要物を捕集可能である。
【００７３】
他の構成については、第１実施形態にかかる空気調和機１と同様である。
［特徴］
この輻射パネル構造体５ａでは、図３のように、圧力発生空間ＰＳから輻射部５２ａの繊維の隙間を通って室内空間へと空気が吹き出る際に、空気に含まれる不要物を輻射部５２ａの内面で捕集することができる。すなわち、輻射部５２ａは織布で形成されているため、織布の繊維の目で不要物を捕集することができる。このため、この輻射パネル構造体５ａでは、室内へと送られる空気から不要物を除去して室内の空気を清浄に保つことができる。
【００７４】
なお、本発明は、室外の空気を取り込んで輻射パネル構造体へと送る空気調和機にも適用可能である。このような空気調和機では、空気中に上記のような不要物が含まれることが多い。このため、不要物を捕集可能な本発明が特に有効である。
＜第５実施形態＞
［構成］
本発明の第５実施形態にかかる輻射パネル構造体は、第１実施形態にかかる輻射パネル構造体５ａにおいて、輻射部５２ａは、繊維の間を通過する空気に含まれる不快物質を除去する有効成分を含有する。具体的には、脱臭剤や殺菌剤等により、圧力発生空間ＰＳから室内へと吹き出る空気から臭気の原因となる化学成分や雑菌などを除去することができる。このような有効成分は、輻射部５２ａの織布に含浸させてもよく、室内へと吹き出す空気の上流側に有効成分を吹き出す部材を織布とは別に設けてもよい。
【００７５】
他の構成については第１実施形態にかかる空気調和機１と同様である。
［特徴］
この輻射パネル構造体５ａでは、輻射部５２ａが有する有効成分によって、織布の繊維の間を通過する空気に含まれる不快物質を除去することができる。このため、室内へと送られる空気の脱臭や殺菌を行うことができ、清浄な空気を室内へと吹き出させることができる。これにより、室内の居住者等の快適感を向上させることができる。
【００７６】
＜第６実施形態＞
［構成］
本発明の第６実施形態にかかる輻射パネル構造体５ｄを図７に示す。この輻射パネル構造体５ｄは、既存の対流型空気調和機１００に着脱自在に接続される。
対流型空気調和機１００は、室内機２００と室外機３００とに分かれたセパレート型の空気調和機であり、室内機２００は室内の側壁や天井面近傍に配置される。この対流型空気調和機１００は、第１実施形態にかかる空気調和機１と同様に、室内熱交換器２０４や室外熱交換器（図示せず）等の冷媒回路構成部品を有しており、室外機３００と室内機２００との間で冷媒回路を構成している。室内機２００は、室内機ケーシング２０１や室内ファン２０３等を備えている。室内機ケーシング２０１は、温度調整された空気が通る吹出し口２０２を有している。室内ファン２０３は、室内から取り込まれ室内熱交換器２０４を通り吹出し口２０２から吹き出される空気の流れを生成する。対流型空気調和機１００は、室内機２００に取り込まれた空気の温度調整を行い、室内機２００に設けられた吹出し口２０２から温度調整された空気を吹き出す。このように、この対流型空気調和機１００は、吹出し口２０２から温度調整された空気を室内へと吹き出すことによって、単独で室内の冷暖房を行うことができる。
【００７７】
輻射パネル構造体５ｄは、対流型空気調和機１００の吹出し口２０２に接続される。具体的には、輻射パネル構造体５ｄの空気取入れ口５１ｄが、既存の対流型空気調和機１００の吹出し口２０２に接続可能な構造となっている。また、この空気取入れ口５１ｄと吹出し口２０２とは着脱自在となっている。
他の構成については、第１実施形態にかかる輻射パネル構造体５ａと同様である。
【００７８】
［特徴］
この輻射パネル構造体５ｄは、既存の対流型空気調和機１００に接続することができる。従って、輻射パネル構造体５ｄを取り付けるだけで、第１実施形態にかかる空気調和機１と同様の能力を有する空気調和機を簡易に構成することができる。このため、既存の対流型空気調和機１００の有効利用が可能である。
【００７９】
また、既存の対流型空気調和機１００と輻射パネル構造体５ｄが着脱自在であるため、輻射パネル構造体５ｄの取外しや取付を容易に行うことができる。このため、輻射パネル構造体５ｄの洗浄や取替え等のメンテナンスを容易に行うことができる。例えば、第４実施形態にかかる輻射パネル構造体５ａのように、粉塵、ウィルス、花粉等の不要物を捕集可能な輻射パネル構造体に本発明を適用することにより、輻射パネル構造体の内部汚れのメンテナンスを容易に行うことができる。
【００８０】
＜第７実施形態＞
［構成］
本発明の第７実施形態にかかる輻射パネル構造体５ｅの側面図を図８（ａ）に示す。輻射パネル構造体５ｅは、ガイド機構５７（変形部）を備える。ガイド機構５７は、輻射部５２ｅに設けられており、輻射部５２ｅを空気の吹き込み方向（白抜き矢印Ａ９参照）に沿って伸縮させる。このガイド機構５７は、図８（ｂ）に示すように、輻射部５２ｅを蛇腹に折り畳み伸縮させる。このように、ガイド機構５７は、輻射部５２ｅを伸縮させることによって、第１輻射面５４および第２輻射面５５の表面積を増減させることができる。
【００８１】
［特徴］
この輻射パネル構造体５ｅでは、ガイド機構５７によって輻射部５２ｅの表面積を増減させることができる。例えば、図８（ｂ）のように、ガイド機構５７によって、輻射部５２ｅの空気取入れ口５１から中央までの部分を収縮させ、中央から先端までの部分を平坦な形状に保持する。この場合、輻射部５２ｅの表面積は、収縮前の状態と比べて約半分になっている。
【００８２】
このように、輻射パネル構造体５ｅは、輻射部５２ｅを伸縮させることによって、第１輻射面５４および第２輻射面５５の表面積を変化させることができる。そして、第１輻射面５４および第２輻射面５５の表面積を変化させることにより、輻射量や温度調整された空気の吹出し量を調整することができる。また、冷暖房を行う範囲を調整することもできる。
【００８３】
なお、このような輻射部５２ｅの伸縮は、手動で行われても自動で行われてもよい。自動で伸縮が行われる場合には、ガイド機構５７を駆動する駆動機構（図示せず）がさらに設けられる。また、駆動機構を制御部６によって制御することにより、冷暖房等の運転状況に応じて輻射部５２ｅの表面積を自動的に調整することもできる。
＜第８実施形態＞
［構成］
本発明の第８実施形態にかかる空気調和機１ｆの一部の外観図を図９に示す。この空気調和機１ｆでは、輻射パネル構造体５ｆは、第７実施形態にかかる輻射パネル構造体５ｅと同様に、輻射部５２ｆを伸縮させるガイド機構５７を備えている。また、室内機ケーシング２１ｆ（収納部）には、輻射パネル構造体５ｆを収納するための収納口２８が設けられている。
【００８４】
この空気調和機１ｆでは、運転停止時には、輻射パネル構造体５ｆは、図１０（ａ）および図１０（ｂ）に示すように、ガイド機構５７によって輻射部５２ｆを収縮することにより小さくなる。そして、図１０（ｃ）に示すように、輻射パネル構造体５ｆは、収納口２８を通って室内機ケーシング２１ｆ内に収納される。逆に、空気調和機１ｆの運転時には、収納されていた輻射パネル構造体５ｆが取り出され、輻射部５２ｆが伸張される。
【００８５】
また、輻射パネル構造体５ｆは、図１１（ａ）に示すように、ガイド機構５７によって輻射部５２ｆが円筒状に巻き取られることによって、伸縮されてもよい。輻射部５２ｆがガイド機構５７によって円筒状に丸められることによって、輻射パネル構造体５ｆが小さくなる。そして、小さくなった輻射パネルが収納口２８から室内機ケーシング２１ｆ内に収納される。
【００８６】
さらに、輻射部５２ｆは、上記のように、蛇腹に伸縮されたり、丸められたりするのではなく、短冊状に折りたたまれてもよい。
他の構成については、第１実施形態にかかる空気調和機１と同様である。
［特徴］
この空気調和機１ｆでは、ガイド機構５７によって輻射パネル構造体５ｆを小さくして室内機ケーシング２１ｆ内に収納することができる。このため、空気調和機１ｆの運転停止時には、輻射パネル構造体５ｆを収納しておくことによって、輻射パネル構造体５ｆが居住者等の邪魔になることがない。また、空気調和機１ｆの運転時には、室内機ケーシング２１ｆから輻射パネル構造体５ｆを取り出して伸張させることによって、再び室内の温度調整を行うことができる。
【００８７】
なお、輻射パネル構造体５ｆが室内機ケーシング２１ｆに収納される場合に限らず、輻射パネル構造体５ｆが、輻射部５２ｆを収納する収納部を備えていてもよい。この場合も上記と同様の効果を奏することができる。
＜第９実施形態＞
［構成］
本発明の第９実施形態にかかる空気調和機では、第１実施形態における空気調和機１において図１２に示すような制御が行われる。この空気調和機１では、空気調和機１が冷房運転を行っている場合に制御部６が運転停止指令を受けると、制御部６は、空気調和機１の運転を停止させる前に乾燥制御を行う。乾燥制御とは、輻射部５２ａでの結露の発生を抑える制御である。この乾燥制御では、制御部６は、輻射部５２ａの圧力発生空間ＰＳへと送られる空気の温度と室内ファン２３とを制御して室内温度より高温の空気を輻射部５２ａへと送る。これにより、輻射部５２ａにおいて結露の発生を抑えることができる。
【００８８】
まず、ステップＳ１において、制御部６がリモコン等から空気調和機１の運転停止指令を受けとると、ステップＳ２へと進む。
ステップＳ２において、タイマーがスタートして、時間Ｔのカウントが開始される。そして、ステップＳ３へと進む。
ステップＳ３では、室内温度＋αの温度で乾燥運転が行われる。すなわち、この乾燥運転では、室内温度よりも高い温度の空気が輻射部５２ａへと送られる。これにより、輻射部５２ａが暖められ乾燥する。
【００８９】
ステップＳ４では、時間Ｔの値が減じられ、ステップＳ５において、時間Ｔが零となったか否か、すなわち、カウントが終了したか否かが判断される。カウントが終了していない場合は、ステップＳ３へと戻って乾燥運転が続けられる。カウントが終了した場合には、ステップＳ６において、空気調和機１の運転が停止される。
なお、上記の時間Ｔは、実験により求められた乾燥時間である。
【００９０】
他の構成については、第１実施形態にかかる空気調和機１と同様である。
［特徴］
空気調和機１が冷房運転を行っている場合には、輻射部５２ａの表面から吹き出される冷たい空気によって、輻射部５２ａの表面温度が低下している。そして、空気調和機１が冷房運転を停止した直後も、輻射部５２ａの表面は、低温度を維持している。このため、空気調和機１が冷房運転を停止した直後には、輻射部５２ａの表面で湿度の高い周囲室内空気と接触し、輻射部５２ａに結露が生じ易くなる。
【００９１】
この空気調和機１では、制御部６が、輻射部５２ａが湿気るのを低減させる乾燥制御を行う。乾燥制御においては、制御部６は、上記のように、空気調和機１の停止前に室温よりも高い空気を一定時間だけ吹き出させた後に、空気調和機１の運転を停止させる。従って、空気調和機１の運転が停止する前に、輻射部５２ａの表面が暖められる。このため、この空気調和機１では、輻射部５２ａでの結露の発生を防止することができる。
【００９２】
なお、乾燥制御は、上記のように予め定められた時間だけ乾燥運転が行われる場合に限らず、輻射部５２ａの外側近傍の温度を検出することによって乾燥運転が行われる時間が決定されてもよい。この場合の、乾燥制御のフローチャートを図１３に示す。
まず、ステップＳ１１において、制御部６がリモコン等から空気調和機１の運転停止指令を受けとると、ステップＳ１２へと進む。
【００９３】
ステップＳ１２において、室内温度＋αの温度で乾燥運転が行われる。これにより、輻射部５２ａが暖められる。
ステップＳ１３では、輻射部５２ａの外側近傍の空気の温度Ｔｈが室温＋α以上であるか否かが判断される。すなわち、このステップＳ１３では、輻射部５２ａの外部近傍の空気の温度が室温よりも所定温度以上高いか否かが判断される。空気の温度が低い場合は、ステップＳ１２へと戻って乾燥運転が続けられる。空気の温度が十分に高い場合には、ステップＳ１４において、空気調和機１の運転が停止される。
【００９４】
また、上記のように冷房運転が行われている場合に限らず、他の運転が行われている場合も、乾燥制御を行うことは有効である。例えば、室外の空気を取り入れて室内へと吹き出す空気調和機の場合は、室外の高湿度の空気を取り入れて吹き出させている場合や、冬季に室外の空気を取り入れている場合などにも、上記の乾燥制御により、輻射部での結露の発生を防止することができる。
【００９５】
さらに、上記のように空気調和機１の運転停止の直前に限らず、空気調和機１の運転中に乾燥制御が行われてもよい。
また、乾燥制御は、上記のように輻射部５２ａを暖めることを目的とするものに限らず、輻射部５２ａの織布に含まれている湿気を乾燥させることを目的とするものであってもよい。
【００９６】
＜第１０実施形態＞
［構成］
本発明の第１０実施形態にかかる空気調和機では、制御部６は、空気が１／ｆゆらぎを伴って輻射パネル構造体５ａへと送られるように室内ファン２３を制御する。
他の構成については、第１実施形態にかかる空気調和機１と同様である。
【００９７】
［特徴］
このような制御が行われた場合の輻射パネル構造体５ａの一部を図１４に示す。
この空気調和機では、１／ｆゆらぎを伴う空気が輻射部５２ａへと送られる。輻射部５２ａは織布で形成されており柔軟性を有しているため、空気のゆらぎによって第１輻射面５４や第２輻射面５５が１／ｆのリズムでゆらぐ。従って、図中の実線矢印と破線矢印に示すように、輻射の放射方向や距離、吹出しの方向が１／ｆのリズムで変化する。これにより、居住者等に自然の間隔を与え、快適感を向上させることができる。また、第１輻射面５４がゆらぐことにより、視覚的にも自然の感覚を居住者等に与えることができる。以上のように、この空気調和機では、室内の居住者等の快適感を向上させることができる。
【００９８】
また、１／ｆのゆらぎではなく、輻射部５２ａや第１輻射面５４が有する固有値のゆらぎが与えられてもよい。この場合、輻射部５２ａまたは第１輻射面５４が十分にゆらぐことにより、吹き出し等に変化を与え、また、居住者等に視覚的な変化も与える。これにより、居住者等の快適感を向上させることができる。
＜他の実施形態＞
〔１〕
上記の実施形態では、天井面近傍に輻射パネル構造体５ａが配置されているが、輻射パネル構造体が室内の側壁近傍に沿うように配置されてもよい。
【００９９】
また、図１５に示すように、途中で曲げられた形状となっている輻射部５２ｇが備えられてもよい。例えば、図１５（ａ）のように、輻射部５２ｇが側壁に平行な第１平面５２１ｇと、第１平面５２１ｇの下端から垂直に伸びる第２平面５２２ｇとによって構成されてもよい。また、図１５（ｂ）のように、輻射部５２ｇが、側壁に平行な第３平面５２３ｇと、第３平面５２３ｇの上端から垂直に伸びる第４平面５２４ｇとによって構成されていてもよい。さらに、図１５（ｃ）のように、輻射部５２ｇが、側壁に平行な第５平面５２５ｇと、第５平面５２５ｇの側端から垂直に伸び他の側壁に平行な第６平面５２６ｇとによって構成されていてもよい。
【０１００】
以上のように、輻射部５２ｇが、途中で曲げられた形状とされることによって、居住者等の希望により即した温度環境を作り出すことができる。また、本発明にかかる輻射パネル構造体５ｇでは、輻射部５２ｇが織布で形成されているため、輻射部５２ｇを途中で曲げられた形状にすることが容易である。
〔２〕
上記の実施形態では、輻射部５２ａは空気取入れ口５１以外が閉じられた袋状の形状を有しているが、図１６に示すように、空気取入れ口５１と天井面側とが開かれた形状となっていてもよい。この輻射部５２ｈは、室内の居住空間に対向し天井面近傍に配置される第１輻射面５４と、第１輻射面５４と天井面とを繋ぐ３つの側面５６とを備える。第１輻射面５４は圧力発生空間ＰＳの下方を閉じ、３つの側面５６は圧力発生空間ＰＳの空気取り込み口を除く側方を閉じている。
【０１０１】
なお、図１６（ａ）は、圧力発生空間ＰＳの空気流れ（実線矢印Ａ２）に垂直な方向から見た輻射パネル構造体５ｈの側面図であり、図１６（ｂ）は、圧力発生空間ＰＳの空気流れの方向から見た輻射パネル構造体５ｈの側面図である。
このような輻射パネル構造体５ｈにおいても、天井面と第１輻射面５４との間に圧力発生空間ＰＳを構成することにより、上記と同様の効果を奏することができる。
【０１０２】
また、３つの側面５６ではなく２つの側面５６が備えられてもよい。例えば、上記の輻射パネル構造体５ｈにおいて、圧力発生空間ＰＳを流れる空気の方向に垂直な側面５６、すなわち、輻射部５２ｈの先端に位置する側面５６が存在しないものであってもよい。この場合においても、圧力発生空間ＰＳを流れる空気に垂直な方向に内部静圧が生じることにより、上記と同様の効果を奏することができる。また、輻射部５２ｈの空気取入れ口５１の反対側が開かれているため、この部分から空気を室内へと吹き出させることができる。このため、温度調整された空気を遠方へと送ることができる。従って、室内空間に十分に温度調整された空気を到達させることができ、より快適な温度環境を作り出すことができる。
【０１０３】
〔３〕
上記の実施形態では、第１輻射面５４と第２輻射面５５とは平坦に形成されているが、このような形状の場合、天井面近傍に配置された輻射パネル構造体５ａが照明等を遮蔽する場合がある。従って、輻射部５２ａを照明等に対向する部分を避けた形状にしてもよい。例えば、照明等に対向する部分に開口や切り欠きが設けられてもよい。また、輻射パネル構造体５ａが側壁近傍に設けられる場合には、窓等を避ける形状になってもよい。これにより、輻射パネル構造体５ａが照明等の障害となることを防止することができる。
【０１０４】
なお、輻射パネル構造体５ａの輻射部５２ａは織布で形成されているため、金属などと異なり形状の形成が容易である。このため、上記のような複雑な形状であっても、容易に形成することができる。
〔４〕
上記の実施形態では、室内の空気を室内機ケーシング２１に取り込んで輻射パネル構造体５ａへと送っているが、室外から取り込んだ空気を輻射パネル構造体５ａへと送ってもよい。
【０１０５】
〔５〕
上記の実施形態では、輻射部５２ａ全体が織布で形成されているが、第１輻射面５４のみが織布で形成され、他の部分は柔軟性を有する他の材料によって形成されてもよい。
また、ドラフト防止の観点からは、第１輻射面５４のみが織布で形成され、他の部分は剛性を有する他の材料であってもよい。この場合も、第１輻射面５４からの輻射と穏やかな吹き出しとによって、ドラフトを防止することができる。
【０１０６】
〔６〕
上記の実施形態では、冷暖房運転が主として記載されているが、輻射部５２ａ等へ湿度調整された空気が送られ、加湿・除湿運転が行われてもよい。また、冷暖房運転と加湿除湿運転とが同時に行われてもよい。さらに、温度調整等が行われていない室外の空気が輻射部５２ａへと送られ、換気運転が行われてもよい。
【０１０７】
〔７〕
上記の実施形態では、室内機ケーシング２１の接続口２７に輻射パネル構造体５ａが接続されているが、空気が吹き出るダクト出口が室内の側壁や天井面等に直接に設けられている場合には、輻射パネル構造体５ａがダクト出口に接続されてもよい。
〔８〕
上記の実施形態において、第１輻射面５４、第２輻射面５５および側面５６とは、別体に形成されたものが繋がれるのではなく、一体のものであってもよい。
【０１０８】
〔９〕
上記の実施形態において、空気調和機１は、上記のような室外機３と室内機２ａとが別体となっているセパレート型に限らず、一体型の空気調和機であってもよい。
〔１０〕
上記の実施形態では、０．９の輻射率を有する織布が使用されているが、０．６以上、より望ましくは０．７以上もしくは０．８以上の輻射率を有する織布であればよい。さらに、必要な輻射能力や用途に応じて０．６以下の輻射率であってもよく、この場合も室内の温度調整は可能である。
【０１０９】
〔１１〕
上記の第１実施形態にかかる空気調和機１では、輻射部５２ａは平面視において長方形の形状を有しているが、他の形状を有するものでもよい。例えば、正方形や６角形のなどの他の多角形や円形のものであってもよい。
〔１２〕
上記の実施形態では、輻射パネル構造体５ａは、平坦な天井面ＣＬの表面に沿って設けられているが、図１７に示すように、天井面ＣＬに輻射パネル構造体５ａが収容される窪み部分ＣＬＳが設けられ、輻射パネル構造体５ａがこの窪み部分ＣＬＳに設置されてもよい。
【０１１０】
また、図１８に示すように、第１輻射面５４が天井面ＣＬと略同じ高さに窪み部分ＣＬＳを塞ぐように設けられることによって、窪み部分ＣＬＳと第１輻射面５４とによって圧力発生空間ＰＳが形成されてもよい。
このような構成によれば、輻射パネル構造体５ａが室内Ｒへと突き出ることが抑えられ室内Ｒの美観を向上させることができる。
【０１１１】
〔１３〕
上記の実施形態において、室内Ｒの居住者への圧迫感低減の観点からは、輻射部５２ａ，５２ｉが８０ｍｍ以下の厚さを有することが望ましい。また、６０ｍｍ以下であることがより望ましい。厚さの下限は小さければ小さいほどよいが、例えば、１０ｍｍ以上や１ｍｍ以上などが考えられる。
【０１１２】
また、輻射および吹出しの効果を高める観点からは、輻射部５２ａは２ｍ2以上の平面を有することが望ましい。具体的には、第１輻射面５４が２ｍ2以上の面積を有していることが望ましい。さらに、第１輻射面５４が長方形の場合、一辺が１０００ｍｍ以上或いは１５００ｍｍ以上であることがより望ましく、他の一辺が２０００ｍｍ以上或いは２５００ｍｍ以上であることがより望ましい。
【０１１３】
さらに、輻射部５２ａは、短横幅の１／５以下の厚みを有することがより望ましい。すなわち、側面の高さ方向の長さが、第１輻射面５４の短い方の横幅の１／５以下であることが望ましい。
〔１４〕
空気調和機１ｉが、第１輻射面５４からの輻射と空気の穏やかな吹出しとによる空気調和と、室内へＲの直接吹出しによる空気調和とを切り換えることできるように構成されてもよい。図１９に示す輻射パネル構造体５ｉは、切換装置８ｉを有している。切換装置８ｉは、切換装置ケーシング６１や切換ダンパ６３ｉ（切換手段）を有しており、室内機ケーシング２１と輻射部５２ｉの間に設けられる。切換装置ケーシング６１には、接続機構（図示せず）、吸込み口６４ｉ、第１吹出し口６５ｉ、第２吹出し口６６ｉなどが設けられている。接続機構は、室内機ケーシング２１の接続口２７の周囲に着脱自在に固定される部分であり、接続機構によって切換装置８ｉが室内機ケーシング２１に固定される。吸込み口６４ｉは、接続機構によって、室内機ケーシング２１の接続口２７に着脱自在に接続され、接続口２７から吹き出される空気を吸い込む。第１吹出し口６５ｉは、輻射部５２ｉの空気取入れ口５１に接続され、輻射部５２ｉの圧力発生空間ＰＳへと吸込み口６４ｉから吸い込まれた空気を吹き出す。第２吹出し口６６ｉは、切換装置ケーシング６１の下面に設けられており、吸込み口６４ｉから吸い込まれた空気を下方へと吹き出して、室内機ケーシング２１から送られた空気を室内Ｒへと吹き出す（図２０参照）。第１吹出し口６５ｉからの吹出しと第２吹出し口６６ｉからの吹出しとは、切換ダンパ６３ｉによって切り換えられる。他の構成については第１実施形態にかかる空気調和機１と同様である。
【０１１４】
このような空気調和機１ｉによれば、第１吹出し口６５ｉからの空気の吹出しと第２吹出し口６６ｉからの空気の吹出しとを切り換えることによって、第１輻射面５４からの輻射と穏やかな吹出しによる空気調和と、第２吹出し口６６ｉからの直接吹出しによる空気調和とを切り換えることができる。これにより、必要に応じて室内Ｒの適切な空気調和を行うことができる。例えば、空気調和の開始直後の様に、短時間で空気調和を行う必要のある場合には、第２吹出し口６６ｉからの直接吹出しによる空気調和を行うことによって、短時間に空気調和を行うことができる。そして、ある程度まで空気調和が行われてから、第１輻射面５４からの輻射と穏やかな吹出しによる空気調和に切り換えることによって、ドラフトの少ない快適な空気調和を行うことができる。
【０１１５】
なお、切換装置８ｉではなく室内機ケーシング２１に第１吹出し口６５ｉや第２吹出し口６６ｉが直接に設けられてもよい。
【産業上の利用可能性】
【０１１６】
本発明は、ドラフトによる不快感を低減することができる効果を有し、輻射パネル構造体および空気調和機として有用である。
【図面の簡単な説明】
【０１１７】
【図１】第１実施形態にかかる空気調和機を示す図。
【図２】第１実施形態にかかる輻射パネル構造体の外観図。
【図３】第１実施形態にかかる輻射パネル構造体の側面図。
【図４】第１実施形態にかかる空気調和機の制御ブロック図。
【図５】（ａ）第１実施形態にかかる輻射パネル構造体の側面図。
【図５】（ｂ）第２実施形態にかかる輻射パネル構造体の一例を示す側面図。
【図５】（ｃ）第２実施形態にかかる輻射パネル構造体の他の例を示す側面図。
【図５】（ｄ）第２実施形態にかかる輻射パネル構造体の他の例を示す側面図。
【図６】第３実施形態にかかる輻射パネル構造体の一部分の側面図。
【図７】第６実施形態にかかる輻射パネル構造体を示す図。
【図８】（ａ）第７実施形態にかかる輻射パネル構造体の側面図（伸張した状態）。
【図８】（ｂ）第７実施形態にかかる輻射パネル構造体の側面図（収縮した状態）。
【図９】第８実施形態にかかる空気調和機の一部の外観図。
【図１０】（ａ）第８実施形態において、輻射部が収縮する状態を示す図。
【図１０】（ｂ）第８実施形態において、輻射部が収縮する状態を示す図。
【図１０】（ｃ）第８実施形態において、輻射パネル構造体が収納された状態を示す図。
【図１１】（ａ）第８実施形態の他の例において、輻射部が収縮する状態を示す図。
【図１１】（ｂ）第８実施形態の他の例において、輻射部が収縮する状態を示す図。
【図１１】（ｃ）第８実施形態の他の例において、輻射パネル構造体が収納された状態を示す図。
【図１２】第９実施形態にかかる空気調和機の制御フローチャート。
【図１３】第９実施形態にかかる空気調和機の制御の他の例を示すフローチャート。
【図１４】第１０実施形態にかかる空気調和機の制御が行われた場合の輻射部の一部を示す図。
【図１５】（ａ）他の実施形態〔１〕にかかる輻射パネル構造体の側面図。
【図１５】（ｂ）他の実施形態〔１〕にかかる輻射パネル構造体の側面図。
【図１６】（ａ）他の実施形態〔２〕にかかる空気調和機の外観図。
【図１６】（ｂ）他の実施形態〔２〕にかかる空気調和機の外観図。
【図１６】（ｃ）他の実施形態〔２〕にかかる空気調和機の外観図。
【図１７】他の実施形態〔１４〕にかかる空気調和機の側面図である。
【図１８】他の実施形態〔１４〕にかかる空気調和機の側面図である。
【図１９】他の実施形態〔１６〕にかかる空気調和機の側面断面図である。
【図２０】他の実施形態〔１６〕にかかる空気調和機の側面断面図である。
【符号の説明】
【０１１８】
１，１ｆ，１ｉ    空気調和機
５ａ−５ｉ        輻射パネル構造体
６                制御部（第１制御部、第２制御部）
２１ｆ            室内機ケーシング（収納部）
２２              室内熱交換器（温度調整部）
２３              室内ファン（送風部）
２７              接続口（送風口）
５１              空気取入れ口（空気取入れ部）
５２ａ−５２ｉ    輻射部（圧力発生空間構成部）
５３ａ，５３ｂ    形状保持部材
５４              第１輻射面（第１部）
５５              第２輻射面（第２部）
５７              ガイド機構（変形部）
６３ｉ            切換ダンパ（切換手段）
６５ｉ            第１吹出し口
６６ｉ            第２吹出し口
１００            対流型空気調和機
ＰＳ              圧力発生空間
Ｒ                室内
【図１】
0003651478.tif 000002
【図２】
0003651478.tif 000003
【図３】
0003651478.tif 000004
【図４】
0003651478.tif 000005
【図５】
0003651478.tif 000006
【図６】
0003651478.tif 000007
【図７】
0003651478.tif 000008
【図８】
0003651478.tif 000009
【図９】
0003651478.tif 000010
【図１０】
0003651478.tif 000011
【図１１】
0003651478.tif 000012
【図１２】
0003651478.tif 000013
【図１３】
0003651478.tif 000014
【図１４】
0003651478.tif 000015
【図１５】
0003651478.tif 000016
【図１６】
0003651478.tif 000017
【図１７】
0003651478.tif 000018
【図１８】
0003651478.tif 000019
【図１９】
0003651478.tif 000020
【図２０】
0003651478.tif 000021